(57)【要約】【課題】  いつ、どこでも、簡単に利用でき、プライバシーも確保でき、更に、家屋、上下水道が破壊された災害時であっても洗腸を可能する洗腸システム及びその使用方法を提供すること。【解決手段】  内部に腸管洗浄液を封入内蔵したクローズドソフトバッグＡと、一端に人工肛門Ｋに接続するためのアダプタＪが設けられ、他端にクローズドソフトバッグＡ内に刺入する刺入針Ｂを設け、クローズドソフトバッグと人工肛門間を連結する所定の長さのチューブＤと、を備え、クローズドソフトバッグＡに座位することで、クローズドソフトバッグＡを圧迫し、この加圧により内部の腸管洗浄液を、連結されたチューブを介して上昇させて人工肛門Ｋに注入する。【選択図】図１
2009028533.tif 000002
【特許請求の範囲】
【請求項１】
内部に腸管洗浄液を封入内蔵したクローズドソフトバッグと、
一端に人工肛門又は普通肛門に接続するためのアダプタが設けられ、他端に前記クローズドソフトバッグに連結固定して内部の前記腸管洗浄液を通過させる連結部材が設けられた、前記クローズドソフトバッグと前記人工肛門又は普通肛門間を連結し、前記クローズドソフトバッグを加圧することで流れる腸管洗浄液を通過させて前記人工肛門又は普通肛門に注入する所定の長さのチューブと、
を備えたことを特徴とする洗腸システム。
【請求項２】
前記チューブ間に、生体に無害な材質から構成された、前記腸管洗浄液の流れる状態を観察するための液流観察部材を備えたことを特徴とする請求項１記載の洗腸システム。
【請求項３】
前記液流観察部材は、生体に無害な材質から構成された、液流によりたなびく糸状部材であることを特徴とする請求項２記載の洗腸システム。
【請求項４】
内部に腸管洗浄液を封入内蔵したクローズドソフトバッグと、
一端に人工肛門又は普通肛門に接続するためのアダプタが設けられ、他端に前記クローズドソフトバッグに連結固定して内部の前記腸管洗浄液を通過させる連結部材が設けられた、前記クローズドソフトバッグと前記人工肛門又は普通肛門間を連結する所定の長さのチューブと、
を備え、
前記クローズドソフトバッグを加圧することで、内部の腸管洗浄液を、前記連結されたチューブを通過させて前記人工肛門又は普通肛門に注入させることを特徴とする洗腸システムの使用方法。
【請求項５】
前記クローズドソフトバッグに座位することで、前記クローズドソフトバッグを自重により圧迫し、この加圧により内部の腸管洗浄液を、前記連結されたチューブを上昇通過させて前記人工肛門又は普通肛門に注入させることを特徴とする請求項４記載の洗腸システムの使用方法。
【請求項６】
前記クローズドソフトバッグを手又は足で押して圧迫し、この加圧により内部の腸管洗浄液を、前記連結されたチューブを上昇通過させて前記人工肛門又は普通肛門に注入させることを特徴とする請求項４記載の洗腸システムの使用方法。
【請求項７】
前記クローズドソフトバッグに重量物を載置することで、前記クローズドソフトバッグを圧迫し、この加圧により内部の腸管洗浄液を、前記連結されたチューブを介して上昇通過させて前記人工肛門又は普通肛門に注入させることを特徴とする請求項４記載の洗腸システムの使用方法。
【発明の詳細な説明】
【技術分野】
【０００１】  内部に腸管洗浄液を内蔵したクローズドソフトバッグによる人工肛門保有者等への洗腸システム及びその使用方法に関する。
【背景技術】
【０００２】  人工肛門保有者の従来の洗腸方法としては、一般には、上方が開放された容器に洗浄液を入れ、重力によりチューブを介して人工肛門に注入していた。
この洗腸方法には、場所と時間に制約があるため、洗腸しない人工肛門保有者が次第に増えてきた。しかし、洗腸は、排便に規則性、計画性を持たせ、人工肛門保有者のＱＯＬ（Ｑｕｏｌｉｔｙ  ｏｆ  Ｌｉｆｅ）を著しく向上させる。特に現役世代として活躍中の人工肛門保有者には極めて有益である。
この洗腸方法を大きく否定的にしたものは、阪神淡路と中越の大震災である。ここでは人工肛門保有者は共通の深刻な体験をした。即ち、洗浄液として使用する水が比較的長期間欠乏し、また汚染された。場所も壊れた自宅はもとより、避難所にも無く、洗腸が不可能に近い状態に追い込まれた。しかし、この様な状況でも平時と同じように洗腸を可能にできる器具や方法の工夫があれば洗腸する人工肛門保有者にとっては大きな力となる。
【発明の開示】
【発明が解決しようとする課題】
【０００３】  このような従来の洗腸方法にあっては、場所と時間の制約があり、また、プライバシーの確保が容易ではない。特に、災害時に家屋、上下水道が破壊された状況にあっては、洗腸は不可能であった。【０００４】  本発明は、いつ、どこでも、簡単に利用でき、プライバシーも確保できる洗腸システム及びその使用方法を提供することを目的とする。更に、家屋、上下水道が破壊された災害時であっても洗腸を可能する洗腸システム及びその使用方法を提供することを目的とする。
【課題を解決するための手段】
【０００５】  上記目的を達成するため、本発明の洗腸システムにあっては、内部に腸管洗浄液を封入内蔵したクローズドソフトバッグと、一端に人工肛門又は普通肛門に接続するためのアダプタが設けられ、他端にクローズドソフトバッグに連結固定して内部の腸管洗浄液を通過させる連結部材が設けられた、クローズドソフトバッグと人工肛門又は普通肛門間を連結し、クローズドソフトバッグを加圧することで流れる腸管洗浄液を通過させて人工肛門又は普通肛門に注入する所定の長さのチューブと、を備えたことを特徴とする。【０００６】  また、本発明の洗腸システムにあっては、チューブ間に、生体に無害な材質から構成された、腸管洗浄液の流れる状態を観察するための液流観察部材を備えたことを特徴とする。【０００７】  また、本発明の洗腸システムにあっては、液流観察部材は、生体に無害な材質から構成された、液流によりたなびく糸状部材であることを特徴とする。【０００８】  また、本発明の洗腸システムの使用方法にあっては、内部に腸管洗浄液を封入内蔵したクローズドソフトバッグと、一端に人工肛門又は普通肛門に接続するためのアダプタが設けられ、他端にクローズドソフトバックに連結固定して内部の腸管洗浄液を通過させる連結部材が設けられた、クローズドソフトバッグと人工肛門又は普通肛門間を連結する所定の長さのチューブと、を備え、クローズドソフトバッグを加圧することで、内部の腸管洗浄液を、連結されたチューブを通過させて人工肛門又は普通肛門に注入させることを特徴とする。【０００９】  また、本発明の洗腸システムの使用方法にあっては、クローズドソフトバッグに座位することで、クローズドソフトバッグを自重により圧迫し、この加圧により内部の腸管洗浄液を、連結されたチューブを上昇通過させて人工肛門又は普通肛門に注入させることを特徴とする。【００１０】  また、本発明の洗腸システムの使用方法にあっては、クローズドソフトバッグを手又は足で押して圧迫し、この加圧により内部の腸管洗浄液を、連結されたチューブを上昇通過させて人工肛門又は普通肛門に注入させることを特徴とする。【００１１】  また、本発明の洗腸システムの使用方法にあっては、クローズドソフトバッグに重量物を載置することで、クローズドソフトバッグを圧迫し、この加圧により内部の腸管洗浄液を、連結されたチューブを介して上昇通過させて人工肛門又は普通肛門に注入させることを特徴とする。
【発明の効果】
【００１２】  この洗腸システムは、比較的簡単な構成であり、場所と時間の制約がなく、更にプライバシーの確保が容易になるものである。また、この洗腸システムにあっては、家屋、上下水道が破壊された災害地域に、洗浄液を内蔵したクローズドソフトバッグを送ることにより、人工肛門保有者の洗腸が可能になる。無菌的な洗腸液を内蔵したクローズドソフトバッグは、比較的長期間保存が可能であり、国内外旅行、ビジネス出張等にも利用できる。【００１３】  この洗腸システムの使用方法としては、基本的には、クローズドソフトバッグを加圧して注入するものである。いろいろな加圧方法があるが、例えば、クローズドソフトバッグに座位することだけで、内部の腸管洗浄液を加圧上昇させて洗腸ができる。したがって、この洗腸システムと腰かける場所があれば、いつ・どこでも洗腸が可能である。例えば、乗用車内であっても洗腸ができる。また、クローズドソフトバッグを、手や足で押したり、又は重量物を載置することで圧迫しても使用可能である。したがって、電力、その他力学的機構は一切不要であり、また携帯しての利用も容易である。【００１４】  また、チューブ間に、洗浄液の流れる状態を観察するための液流観察部材を設けることで、使用者は洗腸液が順調に流れる様子を観察することができる。液流観察部材として、たなびく糸状部材を設けることで、洗腸液の流れる様子を更に鮮明に観察することができる。
【発明を実施するための最良の形態】
【００１５】  以下、本発明の実施の形態を、図１、図２に基づいて詳しく説明する。【００１６】  図１は、洗腸システムの全体構成図である。本洗腸システムは、内部に腸管洗浄液を内蔵したクローズドソフトバッグＡと、一端に人工肛門Ｋに接続するためのアダプタＪが設けられ、他端にクローズドソフトバッグＡ内に刺入する連結部材を構成する刺入針Ｂを設け、クローズドソフトバッグＡと人工肛門Ｋ間を連結する所定の長さのチューブＤと、から構成される。【００１７】  クローズドソフトバッグＡは、密封された嚢状の袋であり、例えば、ビニールなどで形成されている。内部には無菌的腸管洗浄液が封入内蔵されている。クローズドソフトバッグＡは、医学的に認められた安全性、柔軟性、及び耐圧性を兼ね備えたものである。無菌的腸管洗浄液としては、医療上認められている無菌的な生理食塩液、蒸留水、その他の洗浄可能な液を用いることができる。クローズドソフトバッグＡの上部には、吊り下げることにも考慮した吊り下げ用孔Ａ１を設けている。クローズドソフトバッグＡの下部には、密閉を目的とし、医学的に安全性が認められた、合成ゴム等からなるが栓Ａ２が設けられている。栓Ａ２の外側には、無菌性を保つためにオーバーシールＣが貼られている。【００１８】  チューブＤは、一端には人工肛門Ｋに接続するためのアダプタＪが設けられ、他端にはクローズドソフトバッグＡの下部に設けられた栓Ａ２に刺入するための連結部材を構成する刺入針Ｂが設けられている。刺入針Ｂは、注射の針状で、先端が鋭利で有り、内部に洗浄液を通すためのパイプ状の内空が設けられている。したがって、刺入針Ｂを、クローズドソフトバッグＡの下部に設けられた栓Ａ２に刺入し、クローズドソフトバッグＡ内に貫通させることで、クローズドソフトバッグＡに内蔵された洗浄液を、チューブＤに通過させることができる。人工肛門Ｋに接続するためのアダプタＪとしては、生体に無害と認められた材質で構成する。例えばシリコンゴムのような適度な柔軟性を有し、生体に刺激が少なく、適合性の良い材質を用いることが望ましい。連結部材としては、上述した刺入針Ｂに限られず、クローズドソフトバッグＡに連結固定して内部の腸管洗浄液を通過させる部材であればどのようなものあっても構わない。また、連結部材がクローズドソフトバッグＡの栓Ａ２と予め一体的に構成されて固定されるようなものであっても構わないものである。【００１９】  チューブＤは、その中間には透明なチャンバーＦが設けられ、その内部には、液流を観察するための液流観察部材Ｇを構成する、液流によりたなびく糸状部材が設けられている。この液流観察部材Ｇを構成する糸状部材の、一端はチャンバーＦのクローズドソフトバッグＡ側に取り付け固定され、他端は、チャンバーＦの中間部の長さで、固定されず自由端としている。また、糸状部材としては、生体に無害な材質、例えば手術に使用される絹糸が最適である。糸状部材は、チャンバーＦ内で流れる洗浄液の液流方向に対し吹流し状にたなびき、洗浄液の流れる様子を鮮明に観察することができる。更に糸状部材は、複数本で且つ医学的に無害な染料で着色されているもので構成することで、更に液流が分かり易くなる。【００２０】  チャンバーＦは、チューブＤ間の、人工肛門保有者が使用時に見易い箇所に設けることが望ましい。例えば、人工肛門Ｋ側から、約３０ｃｍ程度の箇所に設ける。コネクターＥは、長さの調整や部材の接続のために、適宜チューブ間に設けることができる。ストッパーＨ，Ｉは、液流を制御するために、適宜チューブ間に１、２個を設けることになる。チューブＤの全長は、約８０ｃｍ〜１ｍ程度であれば利用し易いことが実験で判明している。これらの長さは、体格による個人差、使用する環境により、変わることがある。なお、これら洗腸システムを構成する全ての部材は、医学的に生体に無害な材質から構成される必要性がある。【００２１】  以下に本発明の洗腸システムの使用方法について説明する。図２は、座位による図１の洗腸システムの使用方法の説明図である。図２（ａ）は、左側面から見た図、図２（ｂ）は、背後から見た図である。【００２２】  （１）クローズドソフトバッグＡのオーバーシールＣを除去し、チューブＤの先端に設けてある刺入針Ｂを、ソフトバッグの栓Ａ２に充分刺入し、ソフトバッグ内に貫通させる。その場合ストッパーＨ，Ｉは閉じておく。
（２）クローズドソフトバッグＡを、椅子の上に配置する。
（３）クローズドソフトバッグＡの真上に静かに坐る。
（４）アダプタＪを、人工肛門Ｋに接続し適合させる。
（５）ストッパーＨ，Ｉを静かに解放する。
（６）ストッパーを全開して、上半身を静かに左右に揺さぶりながら、ソフトバッグＡの洗腸液を充分腸管内に送る。【００２３】  このように、クローズドソフトバッグＡに座位することで、クローズドソフトバッグＡは自重により圧迫され、この圧迫により内部の洗浄液は、連結されたチューブＤを介して上昇通過し人工肛門Ｋに注入される。この際、洗浄液はチューブＤ内を、クローズドソフトバッグＡ側から人工肛門Ｋ側に流れることになるが、この液流により、チャンバーＦ内に設けた液流観察部材Ｇを構成する糸状部材が、洗浄液の液流方向に対し吹流し状にたなびくため、使用者は洗浄液の流れる様子を鮮明に観察することができる。【００２４】  この洗腸システムによれば、上述した座位による加圧方法の他、以下のような加圧方法による洗腸も可能である。
（１）吊り下げ用孔Ａ１を利用し、クローズドソフトバッグＡを高所に吊り下げて、自然落下で注入する方法。高さが不足し流入圧が低い場合は、クローズドソフトバッグＡを手で押して圧迫することも可能である。
（２）クローズドソフトバッグＡを床に配置して、足で踏んで加圧注入する方法。
（３）クローズドソフトバッグＡをテーブルや台の上に配置して、適当な重量物、例えば重石を置いて加圧注入する方法。【００２５】  これらの加圧注入方法によって、１０００ｃｃのクローズドソフトバッグＡ内の洗浄液の９０％程度を、適切な液流と液圧で、５分から１５分程の時間で人工肛門Ｋ内に注入する事ができる。
このようにいろいろな加圧注入が可能であるが、座位による方法が、適度な圧力、操作の容易さからみて、もっとも優れている。このシステムであれば腰かける場所があれば、何時・何処ででも洗腸が可能である。【００２６】  この洗腸システムは、比較的簡単な構成であり、場所と時間の制約がなく、プライバシーの確保が容易になるものである。例えば、乗用車内でも利用可能であり、特別な障害者用のトイレ施設等も必要としない。また、この洗腸システムは電力も一切不要である。
【産業上の利用可能性】
【００２７】  この洗腸システムは、家屋、上下水道が破壊されるような災害時の他、無菌的な洗腸液を内蔵したクローズドソフトバッグは、比較的長期間保存が可能であることから、国内外旅行、ビジネス出張等にも利用できる。この洗腸システムは、人工肛門保有者の方の他、普通肛門の方への浣腸にも利用可能である。例えば、寝たきりの高齢者や病人の方への介護の浣腸として利用できる。
【図面の簡単な説明】
【００２８】
【図１】  洗腸システムの全体構成図である。
【図２】  座位による図１の洗腸システムの使用方法の説明図である。
【符号の説明】
【００２９】Ａ  クローズドソフトバッグ
Ａ１  吊り下げ用孔
Ａ２  栓
Ｂ  刺入針（連結部材）
Ｃ  オーバーシール
Ｄ  チューブ
Ｅ  コネクター
Ｆ  チャンバー
Ｇ  液流観察部材
Ｈ，Ｉ  ストッパー
Ｊ  アダプタ
Ｋ  人工肛門
【図１】
2009028533.tif 000003
【図２】
2009028533.tif 000004